(57)【要約】【課題】所望の映像コンテンツを容易に見つけて再生することができる電子機器を実現する。【解決手段】実施形態によれば、電子機器は、第１の項目の選択に応答して、第１の項目に関連づけられた第１の検索条件にマッチする映像コンテンツを示す第１のリストをディスプレイに表示させ、第２の項目の選択に応答して、第２の項目に関連づけられた第２の検索条件にマッチする映像コンテンツを示す第２のリストをディスプレイに表示させる。前記電子機器は、前記第１または第２のいずれかのリスト内の一つの映像コンテンツが選択された場合、前記選択された一つの映像コンテンツおよび前記選択された一つの映像コンテンツに後続する前記第１または第２のいずれかのリスト内の他の映像コンテンツを連続して再生する。【選択図】図５
2014049984.tif 000002
【特許請求の範囲】
【請求項１】
第１および第２の項目をディスプレイに表示させ、前記第１の項目の選択に応答して、前記第１の項目に関連づけられた第１の検索条件にマッチする再生可能映像コンテンツを示す第１のリストを前記ディスプレイに表示させ、前記第２の項目の選択に応答して、前記第２の項目に関連づけられた第２の検索条件にマッチする再生可能映像コンテンツを示す第２のリストを前記ディスプレイに表示させる表示処理手段と、
前記第１のリスト内の第１の再生可能映像コンテンツが選択された場合、前記第１の再生可能映像コンテンツおよび前記第１の再生可能映像コンテンツに後続する前記第１のリスト内の他の再生可能映像コンテンツを連続して再生し、前記第２のリスト内の第２の再生可能映像コンテンツが選択された場合、前記第２の再生可能映像コンテンツおよび前記第２の再生可能映像コンテンツに後続する前記第２のリスト内の他の再生可能映像コンテンツを連続して再生する再生処理手段とを具備する電子機器。
【請求項２】
前記表示処理手段は、前記第１の項目の選択に応答して、視聴中または再生中の映像コンテンツを前記ディスプレイの画面上の第１エリアに表示すると共に、前記視聴中または再生中の映像コンテンツに関連する再生可能映像コンテンツを見つけ出すことによって前記第１のリストを生成し、前記第１のリストを前記ディスプレイの画面上の第２エリアに表示する請求項１記載の電子機器。
【請求項３】
前記再生処理手段は、前記第１のリストによって示される前記再生可能映像コンテンツの連続再生の有効または無効をユーザに選択させるための設定メニューを前記ディスプレイに表示させ、前記連続再生の無効がユーザによって選択された場合、前記第１のリストによって示される前記再生可能映像コンテンツの連続再生を実行しない請求項２記載の電子機器。
【請求項４】
前記第１の検索条件は、視聴中または再生中の映像コンテンツの属性に基づく検索条件を示し、前記第２の検索条件は、前記視聴中または再生中の映像コンテンツの属性とは関係の無い検索条件を示す請求項１記載の電子機器。
【請求項５】
前記表示処理手段は、前記視聴中または再生中の映像コンテンツのシーンの変化に応じて前記第１のリストの内容が変更されるように、前記視聴中または再生中の映像コンテンツの現在のシーンに関連する再生可能映像コンテンツを見つけ出すように構成されている請求項２記載の電子機器。
【請求項６】
前記再生可能映像コンテンツは前記電子機器によって録画された放送コンテンツを含む請求項１記載の電子機器。
【請求項７】
前記第２の検索条件はユーザによって設定または変更が可能な検索条件である請求項１記載の電子機器。
【請求項８】
前記第２の検索条件は、映像コンテンツの視聴、再生、録画、ダビングに関するユーザの操作の履歴を学習することによって得られる前記ユーザの嗜好に基づく検索条件である請求項１記載の電子機器。
【請求項９】
前記第２の検索条件は、ユーザによって視聴または再生のための操作がされた映像コンテンツの属性と前記視聴または再生のための操作がされたタイミングとを学習することによって得られる前記ユーザの習慣性に基づく検索条件である請求項１記載の電子機器。
【請求項１０】
前記第２の検索条件は注目度が急上昇しているキーワードを示し、前記表示処理手段は、前記第２の項目の選択に応答して、前記キーワードを含む再生可能映像コンテンツを見つけ出すように構成されている請求項１記載の電子機器。
【請求項１１】
前記第２の検索条件は、複数の電子機器それぞれにおける映像コンテンツの録画予約状況に基づいて映像コンテンツをランク付けすることによって得られるランキング情報を含み、前記表示処理手段は、前記第２の項目の選択に応答して、上位にランク付けされた再生可能映像コンテンツを見つけ出すように構成されている請求項１記載の電子機器。
【請求項１２】
前記第１のリストと前記第２のリストとを並べて配置することによって前記第１の検索条件および前記第２の検索条件を異なるチャンネルに見立てた番組表形式の映像コンテンツビュー画面を生成し、前記映像コンテンツビュー画面を前記ディスプレイに表示させる映像コンテンツビュー表示処理手段をささらに具備する請求項１記載の電子機器。
【請求項１３】
第１および第２の項目をディスプレイに表示させ、
前記第１の項目の選択に応答して、前記第１の項目に関連づけられた第１の検索条件にマッチする再生可能映像コンテンツを示す第１のリストを前記ディスプレイに表示させ、
前記第２の項目の選択に応答して、前記第２の項目に関連づけられた第２の検索条件にマッチする再生可能映像コンテンツを示す第２のリストを前記ディスプレイに表示させ、
前記第１のリスト内の第１の再生可能映像コンテンツが選択された場合、前記第１の再生可能映像コンテンツおよび前記第１の再生可能映像コンテンツに後続する前記第１のリスト内の他の再生可能映像コンテンツを連続して再生し、
前記第２のリスト内の第２の再生可能映像コンテンツが選択された場合、前記第２の再生可能映像コンテンツおよび前記第２の再生可能映像コンテンツに後続する前記第２のリスト内の他の再生可能映像コンテンツを連続して再生する、映像コンテンツ再生方法。
【発明の詳細な説明】
【技術分野】
【０００１】
本発明の実施形態は、映像コンテンツを再生可能な電子機器および映像コンテンツを再生するための映像コンテンツ再生方法に関する。
【背景技術】
【０００２】
近年、様々な放送サービス、例えば、地上波放送、ＢＳ放送、ＣＳ放送、ＣＡＴＶ、インターネット放送等が利用されている。ユーザは、テレビジョン放送受信装置、セットトップボックス、ビデオレコーダといった電子機器を操作することにより、希望のチャンネルの放送コンテンツを視聴することができる。
【０００３】
また、最近では、多数のチャンネルの放送コンテンツを同時に録画可能な電子機器も開発されている。
【０００４】
さらに、ユーザによる放送コンテンツの録画予約操作や録画済みコンテンツの再生操作を支援するための技術も開発されている。
【先行技術文献】
【特許文献】
【０００５】
【特許文献１】特開２００５−３２８４０１号公報
【発明の概要】
【発明が解決しようとする課題】
【０００６】
ところで、録画済み放送コンテンツのような多数の再生可能映像コンテンツの中には、ユーザにとって興味のある映像コンテンツのみならず、ユーザにとって興味の無い映像コンテンツも含まれている可能性がある。
【０００７】
したがって、録画済み放送コンテンツのような多数の再生可能映像コンテンツを有効に利用できるようにするための新たな技術の実現が必要である。
【０００８】
本発明の目的は、所望の映像コンテンツを容易に見つけて再生することができる電子機器および映像コンテンツ再生方法を提供することである。
【課題を解決するための手段】
【０００９】
実施形態によれば、電子機器は、表示処理手段と、再生処理手段とを具備する。前記表示処理手段は、第１および第２の項目をディスプレイに表示させ、前記第１の項目の選択に応答して、前記第１の項目に関連づけられた第１の検索条件にマッチする再生可能映像コンテンツを示す第１のリストを前記ディスプレイに表示させ、前記第２の項目の選択に応答して、前記第２の項目に関連づけられた第２の検索条件にマッチする再生可能映像コンテンツを示す第２のリストを前記ディスプレイに表示させる。前記再生処理手段は、前記第１のリスト内の第１の再生可能映像コンテンツが選択された場合、前記第１の再生可能映像コンテンツおよび前記第１の再生可能映像コンテンツに後続する前記第１のリスト内の他の再生可能映像コンテンツを連続して再生し、前記第２のリスト内の第２の再生可能映像コンテンツが選択された場合、前記第２の再生可能映像コンテンツおよび前記第２の再生可能映像コンテンツに後続する前記第２のリスト内の他の再生可能映像コンテンツを連続して再生する。
【図面の簡単な説明】
【００１０】
【図１】実施形態に係る電子機器を含むシステムの構成を示すブロック図。
【図２】同実施形態の電子機器の構成を示すブロック図。
【図３】同実施形態の電子機器に設けられる視聴処理部、録画処理部、および再生制御処理部を示すブロック図。
【図４】同実施形態の電子機器によって画面上に表示される複数のアイコン（タグ）を示す図。
【図５】図４のアイコンの一つの選択に応じて表示される連続再生リストを示す図。
【図６】「サーフィン」アイコンが選択された時に同実施形態の電子機器によって表示されるコンテンツ検索・再生画面を示す図。
【図７】「ゴルフ」アイコンが選択された時に同実施形態の電子機器によって表示されるコンテンツ検索・再生画面を示す図。
【図８】「急上昇ワード」アイコンが選択された時に同実施形態の電子機器によってポップアップ表示されるキーワードリストを示す図。
【図９】同実施形態の電子機器によって表示される、ユーザに検索条件を設定または変更させるための画面を示す図。
【図１０】同実施形態の電子機器によって「マイ番組表」として表示される映像コンテンツビュー画面を示す図。
【図１１】同実施形態の電子機器によって実行されるコンテンツ再生制御処理の手順を示すフローチャート。
【図１２】「サーフィン」アイコンが選択された時に同実施形態の電子機器によって実行されるサーフィン処理の手順を示すフローチャート。
【図１３】同実施形態の電子機器によって実行される、ユーザ指定の検索条件を使用したコンテンツ再生制御処理の手順を示すフローチャート。
【図１４】「あなたにお勧め番組」アイコンが選択された時に同実施形態の電子機器によって実行される再生制御処理の手順を示すフローチャート。
【図１５】「いつもの番組」アイコンが選択された時に同実施形態の電子機器によって実行される再生制御処理の手順を示すフローチャート。
【図１６】「急上昇ワード」アイコンが選択された時に同実施形態の電子機器によって実行される再生制御処理の手順を示すフローチャート。
【図１７】「みんなのお勧め」アイコンが選択された時に同実施形態の電子機器によって実行される再生制御処理の手順を示すフローチャート。
【図１８】同実施形態の電子機器によって実行される「マイ番組表」表示処理の手順を示すフローチャート。
【発明を実施するための形態】
【００１１】
以下、実施の形態について図面を参照して説明する。  
図１は、実施形態に係る電子機器を含むシステムを示す。この電子機器は、例えばデジタルテレビジョン放送受信装置１１として実現されている。なお、この電子機器は、パーソナルビデオレコーダ、パーソナルコンピュータ等の様々なコンシューマ機器としても実現され得る。デジタルテレビジョン放送受信装置１１はフラットパネルディスプレイのようなディスプレイ１４を備えている。
【００１２】
デジタルテレビジョン放送受信装置１１は、様々な放送コンテンツ、例えば、ＢＳ／ＣＳデジタル放送信号に含まれる放送コンテンツ、および地上波デジタルテレビジョン放送信号に含まれる放送コンテンツを表示することができる。ＢＳ／ＣＳデジタル放送信号はＢＳ／ＣＳデジタル放送受信用アンテナ４７によって受信され、また地上波デジタルテレビジョン放送信号は地上波放送受信用アンテナ５２によって受信される。
【００１３】
デジタルテレビジョン放送受信装置１１は、有線または無線のネットワーク２０に接続されている。このネットワーク２０は、例えば、家庭内の有線または無線のＬＡＮである。デジタルテレビジョン放送受信装置１１は、ネットワーク２０を介して家庭内の様々な機器と通信することができ、さらにネットワーク２０を介してインターネット３０に接続することもできる。
【００１４】
ネットワーク２０には、例えば、情報端末２１、１以上のＤＭＰ／ＤＭＲデバイス２２などが接続されている。ＤＭＰ／ＤＭＲデバイス２２はＤＬＮＡ規格に対応する機器であり、ビデオクリップ、ホームムービー、ＤＶＤビデオタイトルといった各種映像コンテンツをネットワーク２０を介してデジタルテレビジョン放送受信装置１１に送信することができる。
【００１５】
デジタルテレビジョン放送受信装置１１は、放送コンテンツのみならず、ＤＭＰ／ＤＭＲデバイス２２のような外部機器から受信される各種映像コンテンツを表示することもできる。また、デジタルテレビジョン放送受信装置１１は、インターネット３０上のコンテンツ配信サイト３１から受信される各種映像コンテンツを表示することもできる。
【００１６】
さらに、デジタルテレビジョン放送受信装置１１は、インターネット３０上のサーバ３２と連携するためのクラウド連携機能も有している。このクラウド連携機能は、サーバ３２から各種情報、例えば、各放送コンテンツのメタデータ、各放送コンテンツのタグリスト、人気のある放送コンテンツのランキング情報等を受信するために使用することができる。各放送コンテンツのメタデータは、電子番組表情報（ＥＰＧ）と同様に、各放送番組の案内（番組タイトル、ジャンル、放送日時、出演者、等）を示す情報を含む。さらに、各放送コンテンツのメタデータは、各放送番組の詳細情報を含んでいてもよい。詳細情報は、例えば、番組に関する幾つかの画像、番組に関する説明を記載したテキスト等を含んでいても良い。ある放送番組に対応するタグリストは、その番組のタイトル、およびその番組内の複数の頭出し位置を指定する複数のタグ（しおり）等を含む情報である。このタグリストを使用することにより、例えば、特定の人物が登場する幾つかのシーンだけを再生する処理などを行うことが可能となる。
【００１７】
ユーザは、リモートコントロールユニット１２を使用してデジタルテレビジョン放送受信装置１１を遠隔操作するだけでなく、情報端末２１を使用してデジタルテレビジョン放送受信装置１１を遠隔操作することもできる。この場合、情報端末２１は、インターネットプロトコル（ＩＰ）を使用してデジタルテレビジョン放送受信装置１１に各種コマンドを送信する。また、情報端末２１は、サーバ３２から上述の各種情報を受信することもできる。
【００１８】
図２は、デジタルテレビジョン放送受信装置１１の構成の例を示す。  
デジタルテレビジョン放送受信装置１１は、放送信号入力端子４８，５３、ＢＳチューナ４９、複数のデジタル地上波放送チューナ５４、ＰＳＫ（Phase Shift Keying）復調器５０、複数のＯＦＤＭ（Orthogonal Frequency Division Multiplexing）復調器５５、信号処理部５１、音声処理部５９、グラフィック処理部５８、ＯＳＤ信号生成部６１、映像処理部６２、制御部６５等を備える。
【００１９】
放送信号入力端子４８及び放送信号入力端子５３には、それぞれＢＳ／ＣＳデジタル放送受信用アンテナ４７及び地上波放送受信用アンテナ５２が接続される。
【００２０】
制御部６５は、デジタルテレビジョン放送受信装置１１内の各部の動作を制御する。制御部６５は、ＣＰＵ７１、ＲＯＭ６６、ＲＡＭ６７、及び不揮発性メモリ６８を備える。ＲＯＭ６６は、ＣＰＵ７１によって実行される制御プログラムを格納する。不揮発性メモリ６８は、各種の設定情報及び録画予約情報を格納する。ＣＰＵ７１は、上述の制御プログラムを実行することによってデジタルテレビジョン放送受信装置１１内の各部の動作を制御して、これによって放送コンテンツのような各種映像コンテンツの視聴処理、各種映像コンテンツの録画処理、録画された各種映像コンテンツの再生処理等を実行する。ここで、視聴処理は、現在放送中の放送コンテンツを表示する処理（ライブ再生処理）を意味する。また、再生処理は、録画済みの放送コンテンツを記憶媒体から取得して再生する処理、または他の機器からストリーミングによって受信される映像コンテンツを再生する処理を意味する。
【００２１】
ＢＳ／ＣＳデジタル放送受信用アンテナ４７は、衛星デジタルテレビジョン放送信号を受信する。ＢＳ／ＣＳデジタル放送受信用アンテナ４７は、受信した衛星デジタルテレビジョン放送信号を、入力端子４８を介して衛星デジタル放送用のチューナ４９に出力する。チューナ４９は、この放送信号から任意のチャンネルの放送信号を選局する。チューナ４９は、選局した放送信号をＰＳＫ復調器５０に出力する。ＰＳＫ復調器５０は、チューナ４９により選局された放送信号を復調してデジタルの映像信号及び音声信号を生成する。ＰＳＫ復調器５０は、復調によって生成されたデジタルの映像信号及び音声信号を信号処理部５１に出力する。
【００２２】
地上波放送受信用アンテナ５２は、地上デジタルテレビジョン放送信号を受信する。地上波放送受信用アンテナ５２は、地上デジタルテレビジョン放送信号を、入力端子５３を介して各チューナ５４に出力する。各チューナ５４は、この放送信号から任意のチャンネルの放送信号を選局する。各チューナ５４は、選局した放送信号を対応するＯＦＤＭ復調器５５に出力する。各ＯＦＤＭ復調器５５は、対応するチューナ５４により選局された放送信号を復調してデジタルの映像信号及び音声信号を生成する。各ＯＦＤＭ復調器５５は復調によって生成されるデジタルの映像信号及び音声信号を信号処理部５１に出力する。
【００２３】
また、信号処理部５１には、複数の外部入力端子６０が接続される。この外部入力端子６０は、デジタルテレビジョン放送受信装置１１に対して、外部から映像信号及び音声信号を入力するための端子である。
【００２４】
信号処理部５１は、外部入力端子６０から入力される映像信号及び音声信号、又はＰＳＫ復調器５０もしくはＯＦＤＭ復調器５５から出力された映像信号及び音声信号に対して、所定のデジタル信号処理を施す。信号処理部５１は、所定のデジタル信号処理を施した映像信号及び音声信号を、グラフィック処理部５８及び音声処理部５９に出力する。
【００２５】
音声処理部５９は、入力されたデジタル音声信号を、スピーカ１５で再生可能なアナログ音声信号に変換する。音声処理部５９は、このアナログ音声信号をスピーカ１５に出力する。スピーカ１５は、入力されたアナログ音声信号に対応する音を出力する。
【００２６】
グラフィック処理部５８は、信号処理部５１から出力されるデジタル映像信号に、ＯＳＤ（On Screen Display）信号生成部６１で生成されるメニュー等のＯＳＤ信号を重畳する。グラフィック処理部５８は、ＯＳＤ信号が重畳された映像信号を映像処理部６２に出力する。また、グラフィック処理部５８は、信号処理部５１の出力である映像信号と、ＯＳＤ信号生成部６１の出力であるＯＳＤ信号とを選択的に出力してもよい。
【００２７】
映像処理部６２は、入力されたデジタル映像信号の各種の画質改善処理を施す。そして、映像処理部６２は、画質改善処理が施されたデジタル映像信号をディスプレイ１４に供給する。
【００２８】
操作部８０は、主電源スイッチ、チャンネル切り替えスイッチ等の各種操作スイッチを備える操作パネルである。受光部８１は、リモートコントローラユニット１２によって送信された赤外線遠隔操作信号を受信（受光）する。カードインタフェース部８２は、カードホルダ８３に取り外し自在に装着されるメモリカードをアクセスするコントローラである。通信インタフェース部８４はＬＡＮコントローラであり、ＬＡＮ端子８５に接続されるＬＡＮケーブルを介して、上述のネットワーク２０内のルータ等に接続される。
【００２９】
ＵＳＢインタフェース部８４は、ＵＳＢ端子に接続されるストレージデバイス１００をアクセスするコントローラである。ストレージデバイス１００は、例えばハードディスクドライブ（ＨＤＤ）である。ＨＤＭＩインタフェース部８８は、外部のＨＤＭＩデバイスとの通信を実行する。
【００３０】
図３は、デジタルテレビジョン放送受信装置１１に設けられる視聴処理部２０１、録画処理部２０２、および再生制御処理部２０３を示す。これら視聴処理部２０１、録画処理部２０２、および再生制御処理部２０３は、ＣＰＵ７１によって実行されるコンピュータプログラムとして実現してもよい。
【００３１】
視聴処理部２０１は、チューナ４９またはチューナ５４によって選局される現在放送中のコンテンツ（放送番組データ）をディスプレイ１４に表示する処理を実行する。録画処理部２０２は、「通常録画処理」および「タイムシフトマシン録画処理」を実行する。「通常録画処理」は、ユーザによって録画指定または録画予約された個々の放送番組データをストレージデバイス１００に録画するための録画処理である。「タイムシフトマシン録画処理」は、ユーザによって設定されるチャンネル番号、曜日、および時間帯に基づいて、設定された曜日および時間帯に放送される各録画対象チャンネルの放送番組データを自動的にストレージデバイス１００内の特定記憶領域に録画するための録画処理である。例えば、全てのチャンネル番号、全ての曜日、および時間帯１９：００〜２３：００という設定を行うと、時間帯１９：００〜２３：００に放送される全てのチャンネルの放送番組が毎日録画される。また、１日２４時間の全てを録画対象の時間帯として設定することもできる。
【００３２】
特定記憶領域の空き領域が不足すると、特定記憶領域内の最も古い放送番組データが自動的に削除される（ループ録画）。大容量のストレージデバイス１００を使用することにより、例えば、過去数週間分程度の大量の放送番組（タイムシフト録画番組）を特定記憶領域に常に保持することができる。
【００３３】
再生制御部２０３は、多数の再生可能映像コンテンツの中からユーザが所望の映像コンテンツを容易に見つけ出せるようにするためのコンテンツ検索・再生機能を有している。再生可能映像コンテンツは、例えば、上述の「タイムシフトマシン録画処理」によって録画された番組（タイムシフト録画番組）のような録画済み放送コンテンツであってもよい。あるいは、再生可能映像コンテンツは、ＤＭＰ／ＤＭＲデバイス２２のような外部機器から受信可能な映像コンテンツ、またはコンテンツ配信サイト３１から受信可能な映像コンテンツであってもよい。あるいは、外部機器またはコンテンツ配信サイト３１から受信可能な映像コンテンツと、録画済み放送コンテンツの双方を、再生可能映像コンテンツとして使用しても良い。
【００３４】
このコンテンツ検索・再生機能は、ある特定の検索条件にマッチする再生可能映像コンテンツを見つけ出し、これら見つけ出された再生可能映像コンテンツを連続して再生する。互いに異なる複数の検索条件が予め用意されており、これら複数の検索条件内の任意の検索条件がユーザ操作に応じて選択される。
【００３５】
検索条件としては、視聴中または再生中の映像コンテンツ（放送番組）に依存する検索条件と、視聴中または再生中の映像コンテンツ（放送番組）に依存しない検索条件とを使用することができる。
【００３６】
視聴中または再生中の映像コンテンツに依存する検索条件としては、視聴中／再生中の映像コンテンツの属性（ジャンル、タイトル名、キーワード、出演者、など）を示す検索条件を使用することができる。これにより、例えば、現在視聴中の放送番組に関連する他の再生可能映像コンテンツ（例えば、現在視聴中の放送番組に関連する録画済み番組等）をユーザに提示することができる。また、現在再生中の録画済み放送番組に関連する他の再生可能映像コンテンツをユーザに提示することもできる。
【００３７】
視聴中または再生中の映像コンテンツに依存しない検索条件としては、視聴中／再生中の映像コンテンツの属性とは関係の無い任意の検索条件を使用することができる。
【００３８】
コンテンツ検索・再生機能は、視聴中／再生中の映像コンテンツの属性を示す検索条件が関連付けられた項目と、視聴中／再生中の映像コンテンツの属性とは関係の無い任意の幾つかの検索条件がそれぞれ関連付けられた幾つかの項目とをユーザに提示する。これにより、ユーザは、ユーザが現在見ている番組に関係する他の番組を見つけ出す動作と、現在見ている番組に関係ない他の番組を見つけ出す動作とを選択的に使用することができる。
【００３９】
見つけ出された再生可能映像コンテンツのリスト（連続再生リスト）は、ディスプレイ１４に表示される。これら再生可能映像コンテンツの連続再生は、ユーザによって連続再生リストから選択された任意の映像コンテンツから開始することができる。
【００４０】
例えば、ある特定の検索条件にマッチする４つの映像コンテンツが見つけ出された場合を想定する。この場合、これら４つの映像コンテンツを所定の基準に従った順番に並べることによって上述の連続再生リストが生成される。例えば、連続再生リスト内の２番目の映像コンテンツがユーザによって選択されると、最初に、２番目の映像コンテンツの再生が開始される。そして、ユーザによって再生停止のための操作が行われない限り、２番目の映像コンテンツの再生の完了時に３番目の映像コンテンツの再生が自動的に開始される。そして、ユーザによって再生停止のための操作が行われない限り、３番目の映像コンテンツの再生の完了時に４番目の映像コンテンツの再生が自動的に開始される。
【００４１】
このように、これら映像コンテンツは、あたかもこれら映像コンテンツがある特定のチャンネルで順次放送される番組群であるかのように、自動的に連続再生される。上述の４つの映像コンテンツはどれもユーザによって選択された検索条件にマッチするコンテンツであるので、上述の「ある特定のチャンネル」はユーザの嗜好に適した番組群を放送する仮想的なチャンネルであるといえる。ユーザは、連続再生リスト内のある映像コンテンツを選択するという操作を一回行うだけで、連続再生リスト内の映像コンテンツそれぞれを順次見ることができる。
【００４２】
上述したように、「タイムシフトマシン録画処理」によって録画された番組それぞれは、録画日時の古い順に自動的に削除される。このため、連続再生リスト上にもうすぐ削除されるコンテンツが存在する場合には、そのコンテンツに対して「もうすぐ削除」されることを表すマークを付与しても良い。
【００４３】
再生制御部２０３は、コンテンツ検索・再生機能を実行するために、コンテンツリスト表示処理部２１１、再生処理部２１２、およびマイ番組表表示処理部２１３を備える。
【００４４】
コンテンツリスト表示処理部２１１は、複数の項目（例えば、複数のアイコン等）をディスプレイ１４の画面上に表示する。これら複数の項目には上述の異なる検索条件がそれぞれ関連づけられている。コンテンツリスト表示処理部２１１は、ユーザによって選択された項目に関連づけられた検索条件にマッチする再生可能映像コンテンツを見つけ出す（検索）。そして、コンテンツ検索・再生機能は、見つけ出された映像コンテンツのリストつまり上述の連続再生リストを生成し、その連続再生リストをディスプレイ１４の画面上に表示する。
【００４５】
再生処理部２１２は、連続再生リスト内の第１の映像コンテンツがユーザによって選択された場合、この第１の映像コンテンツおよびこの第１の映像コンテンツに後続する連続再生リスト内の他の映像コンテンツそれぞれを連続して再生する。
【００４６】
いま、第１および第２の２つの検索条件が用意されている場合を想定する。この場合、コンテンツリスト表示処理部２１１は、第１および第２の項目をディスプレイ１４に表示させる。そして、ユーザによって第１の項目が選択されたならば、コンテンツリスト表示処理部２１１は、第１の項目に関連づけられた第１の検索条件にマッチする再生可能映像コンテンツを見つけ出して、この見つけ出された再生可能映像コンテンツを示す第１のリスト（第１の連続再生リスト）をディスプレイ１４に表示させる。一方、ユーザによって第２の項目が選択されたならば、コンテンツリスト表示処理部２１１は、第２の項目に関連づけられた第２の検索条件にマッチする再生可能映像コンテンツを見つけ出して、この見つけ出された再生可能映像コンテンツを示す第２のリスト（第２の連続再生リスト）をディスプレイ１４に表示させる。ユーザは、検索条件を入力するための操作等を行うこと無く、第１および第２の項目の一方を選択するという簡単な操作を行うだけで、所望の検索条件にマッチするどのようなコンテンツが存在するかを容易に知ることができる。
【００４７】
再生処理部２１２は、ユーザによって第１または第２のいずれかの連続再生リスト内の一つの映像コンテンツが選択された場合、この選択された一つの映像コンテンツおよびこの選択された一つの映像コンテンツに後続する第１または第２のいずれかの連続再生リスト内の他の映像コンテンツを連続して再生する。
【００４８】
マイ番組表表示処理部２１３は、互いに異なる複数の検索条件に対応する複数の連続再生リストを並べて配置することによって複数の検索条件を異なるチャンネルに見立てた番組表形式の映像コンテンツビュー画面（「マイ番組表」）を生成し、この映像コンテンツビュー画面（「マイ番組表」）をディスプレイ１４に表示させる。
【００４９】
図４は、再生制御部２０３によって表示されるコンテンツ検索・再生画面を示す。このコンテンツ検索・再生画面は、例えば、リモートコントロールユニット１２上の特定のボタンが押された時にディスプレイ１４の画面上に表示される。このコンテンツ検索・再生画面にはアイコン表示エリア３０１およびアイコン名表示エリア３０２が定義されている。アイコン表示エリア３０１は複数のアイコンをタグリストとして表示する。これらアイコンは上述の項目に対応する。これらアイコンには、上述の検索条件が関連づけられている。リモートコントロールユニット１２上の左矢印キーまたは右矢印キーの操作に応じて、アイコン表示エリア３０１上のアイコン群（タグリスト）が左方向または右方向にスクロールされる。中央に位置するアイコン（タグ）が自動的にフォーカスされる（選択される）。アイコン名表示エリア３０２はフォーカスされているアイコンの下に配置される。このアイコン名表示エリア３０２は、フォーカスされているアイコンのアイコン名、つまりフォーカスされているアイコンに関連づけられた検索条件に対応するコンテンツ検索・再生機能の名前を示す。
【００５０】
本実施形態では、以下のコンテンツ検索・再生機能が用意されている。
【００５１】
（１）「サーフィン」機能
「サーフィン」機能では、現在視聴中（または現在再生中）の映像コンテンツの属性（ジャンル、タイトル名、キーワード、出演者など）に基づく検索条件が使用される。そして、現在視聴中（または現在再生中）の映像コンテンツに関連する再生可能映像コンテンツが見つけ出される。見つけ出された再生可能映像コンテンツは、例えば、現在視聴中（または現在再生中）の映像コンテンツとの関連度が高い順に並べ替えられる。そして、関連度が高い順に並べられた再生可能映像コンテンツのリストが上述の連続再生リストとして生成および表示される。
【００５２】
（２）「ユーザ指定検索」機能
「ユーザ指定検索」機能は、視聴中または再生中の放送番組に依存しないコンテンツ検索・再生機能の一つである。この「ユーザ指定検索」機能は、視聴中または再生中の映像コンテンツの属性とは関係の無い所定の検索条件にマッチする再生可能映像コンテンツを見つけ出して連続再生リストを表示する。この場合、検索条件としては、視聴中または再生中の映像コンテンツには関連付けられておらず、ユーザによって設定または変更が可能な検索条件が用いられる。ユーザは、例えば、任意のジャンル、任意のキーワード、任意の出演者、または任意の番組記号などを検索条件として設定することができる。番組記号には、たとえば、新番組を示す番組記号などがある。
【００５３】
ユーザによって検索条件が新たに設定されると、その設定された検索条件に関連づけられた新たなアイコンがアイコン表示エリア３０１上に表示される。また、ユーザによって既存のアイコンに対応する検索条件が変更されると、既存のアイコンは削除され、その変更された検索条件に関連づけられた新たなアイコンがアイコン表示エリア３０１上に表示される。
【００５４】
なお、「ユーザ指定検索」機能に対応する幾つかの検索条件をデジタルテレビジョン放送受信装置１１の工場出荷時にデジタルテレビジョン放送受信装置１１に予め設定しておいてもよい。例えば、ジャンル「ゴルフ」を指定する検索条件と、ジャンル「映画」を指定する検索条件とをデジタルテレビジョン放送受信装置１１の出荷時設定の検索条件として用いても良い。この場合、ジャンル「ゴルフ」に対応するアイコンと、ジャンル「映画」に対応するアイコンがアイコン表示エリア３０１上に表示される。ジャンル「ゴルフ」に対応するアイコンがユーザによって選択されると、再生可能な映像コンテンツの中からジャンル「ゴルフ」の検索条件にマッチする映像コンテンツが見つけ出され、それら見つけ出された映像コンテンツを示す連続再生リストがディスプレイ１４の画面上に表示される。
【００５５】
（３）「あなたにお勧め番組」機能
「あなたにお勧め番組」機能は、視聴中または再生中の放送番組に依存しないコンテンツ検索・再生機能の一つである。この「あなたにお勧め番組」機能は、デジタルテレビジョン放送受信装置１１のユーザの嗜好に基づく検索条件を使用することによって、ユーザの嗜好にマッチした再生可能映像コンテンツを見つけ出して連続再生リストを表示する。ユーザの嗜好に関する情報は、映像コンテンツの視聴、再生、録画、ダビングに関するユーザ操作の履歴を学習することによって得ることができる。
【００５６】
例えば、現在放送中のある放送番組がユーザによって視聴された場合には、その視聴された放送番組のジャンル、キーワード、出演者等の各属性が保存されると共に、これらジャンル、キーワード、出演者等の各属性に対して所定のポイント（例えば１ポイント）が付与される。また、ある放送番組が録画された場合には、この録画された放送番組のジャンル、キーワード、出演者等の各属性に対して別のポイント（例えば３ポイント）が付与される。また、ある録画済みの放送番組が再生された場合には、この再生された放送番組のジャンル、キーワード、出演者等の各属性に対して別のポイント（例えば２ポイント）が付与される。また、ある録画済みの放送番組が外部の記憶媒体にダビングされた場合には、このダビングされた放送番組のジャンル、キーワード、出演者等の各属性に対して別のポイント（例えば５ポイント）が付与される。
【００５７】
これら各属性のポイントを集計することによってユーザの嗜好を示す情報を得ることができる。
【００５８】
なお、映像コンテンツの視聴、再生、録画、ダビングに関するユーザ操作の履歴を学習する処理は、デジタルテレビジョン放送受信装置１１内で実行しても良いし、サーバ３２によって実行しても良い。
【００５９】
（４）「いつもの番組」機能
「いつもの番組」機能は、視聴中または再生中の放送番組に依存しないコンテンツ検索・再生機能の一つである。この「いつもの番組」機能は、デジタルテレビジョン放送受信装置１１のユーザが何時どの様な種類の映像コンテンツを見ているかという習慣性に基づく検索条件を使用することによって、ユーザの習慣性にマッチした再生可能映像コンテンツを見つけ出して連続再生リストを表示する。ユーザの習慣性に関する情報は、例えば、ユーザによって視聴または再生のための操作がされた映像コンテンツの属性と、視聴または再生のための操作がされたタイミング（例えば、曜日、時間帯、等）とを学習することによって得ることができる。
【００６０】
なお、ユーザによってある録画済み放送番組が再生されたときに、その再生された録画済み放送番組と同一シリーズの録画済み放送番組にフラグを付与するようにしてもよい。そして、フラグが付与された録画済み放送番組を示す連続再生リストを表示してもよい。この場合、フラグが付与された録画済み放送番組を、付与されたフラグの数が多い順に並び替えるようにしても良い。
【００６１】
ユーザの習慣性を学習する処理は、デジタルテレビジョン放送受信装置１１内で実行しても良いし、サーバ３２によって実行しても良い。
【００６２】
（５）「急上昇ワード」機能
「急上昇ワード」機能は、視聴中または再生中の放送番組に依存しないコンテンツ検索・再生機能の一つである。この「急上昇ワード」機能では、注目度が急上昇しているキーワード（ホットワード）が上述の検索条件として使用される。注目度が急上昇しているキーワード（ホットワード）を含む再生可能映像コンテンツが見つけ出され、それら見つけ出された再生可能映像コンテンツを示す連続再生リストが表示される。
【００６３】
ホットワードは、録画済み放送番組それぞれから抽出されるキーワード群の内容に基づいて決定しても良い。例えば、上述の「タイムシフトマイン録画処理」によって録画された多数の放送番組からキーワードを抽出し、個々のキーワード毎にそのキーワードの出現頻度を集計するための学習処理が実行される。そして、出現頻度の上昇率が基準値よりも高いキーワード、または出現頻度の上昇率の高い上位幾つかのキーワードそれぞれがホットワードとして決定される。
【００６４】
各キーワードの出現頻度を学習する処理はデジタルテレビジョン放送受信装置１１内で実行しても良いし、サーバ３２によって実行しても良い。また、インターネット上の様々なサービスサイトからホットワード情報をダウンロードしてもよい。
【００６５】
（６）「みんなのお勧め番組」機能
「みんなのお勧め番組」機能は、視聴中または再生中の放送番組に依存しないコンテンツ検索・再生機能の一つである。この「みんなのお勧め番組」機能では、サーバ３２に登録された複数の電子機器それぞれにおける映像コンテンツの録画予約状況に基づいて映像コンテンツをランク付けすることによって得られるランキング情報に基づく検索条件が使用される。すなわち、ランキング情報によって上位にランク付けされている再生可能映像コンテンツ（録画予約数が多い放送番組）が見つけ出され、これら見つけ出された再生可能映像コンテンツを示す連続再生リストが表示される。
【００６６】
図５は、コンテンツ検索・再生画面上に表示される連続再生リストの例を示す。
【００６７】
図５では、ある検索条件にマッチするコンテンツＡ、コンテンツＢ、コンテンツＣ、コンテンツＤ、コンテンツＥが探し出され、これらコンテンツＡ−Ｅを示す連続再生リスト３０３が表示される場合が想定されている。ユーザによって連続再生リスト３０３内のある一つのコンテンツが選択された場合、選択された一つのコンテンツおよびこの選択されたコンテンツに後続する連続再生リスト３０３内の他のコンテンツが連続して再生される。例えば、連続再生リスト３０３内のコンテンツＢがユーザによって選択された場合には、最初にコンテンツＢが全画面モードで再生される。そして、コンテンツＢの再生が完了した際に、コンテンツＣが全画面モードで再生される。そして、コンテンツＣの再生が完了した際に、コンテンツＤが全画面モードで再生される。
【００６８】
このようにして、コンテンツＢ、Ｃ、Ｄ、Ｅがあたかも同じチャンネルで放送される番組であるかのように、これらコンテンツＢ、Ｃ、Ｄ、Ｅが自動的に連続して再生される。
【００６９】
なお、連続再生リスト３０３上のコンテンツの中にもうすぐ削除されるコンテンツが存在する場合には、このコンテンツに関連付けられた状態で「もうすぐ削除」のマークを表示しても良い。この場合、再生制御部２０３は、見つけ出された各コンテンツが所定期間後にストレージデバイス１００から削除されるコンテンツであるか否か、つまりその録画日時からある所定期間経過したコンテンツであるか否かを判定する。そして、再生制御部２０３は、「もうすぐ削除」のマークを、もうすぐ削除されるコンテンツに関連付けて表示する。
【００７０】
また、連続再生リスト３０３上においては、複数のコンテンツをその録画日時の新しい順または古い順に時系列に並べて表示してもよいが、お勧め系のコンテンツ検索・再生機能に対応する連続再生リスト３０３上においては、複数のコンテンツが、時系列ではなく、おすすめ順に並べて表示されることが好ましい。例えば、検索条件とのマッチ度が高い順にコンテンツを並び替えることによって連続再生リスト３０３を作成しても良い。
【００７１】
図６は、上述の「サーフィン」機能に対応するコンテンツ検索・再生画面の例を示す。  
例えばリモートコントロールユニット１２上の特定のキーがユーザによって操作されると、図６に示すように、複数のアイコン４０１〜４０７が画面上に表示される。アイコン４０１は上述の「ユーザ指定検索」機能に対応する検索条件が関連づけられた項目である。ここでは、アイコン４０１には、ジャンル「映画」の検索条件が関連づけられている場合が想定されている。アイコン４０２も上述の「ユーザ指定検索」機能に対応する検索条件が関連づけられた項目である。ここでは、アイコン４０２には、ジャンル「ゴルフ」の検索条件が関連づけられている場合が想定されている。
【００７２】
アイコン４０３は上述の「あなたにお勧め番組」機能に対応する検索条件が関連づけられた項目である。アイコン４０４は上述の「サーフィン」機能（「ほかにもこんな番組」機能）に対応する検索条件が関連づけられた項目である。アイコン４０５は上述の「急上昇ワード」機能に対応する検索条件が関連づけられた項目である。アイコン４０６は上述の「いつもの番組」機能に対応する検索条件が関連づけられた項目である。アイコン４０７は上述の「みんなのお勧め番組」機能に対応する検索条件が関連づけられた項目である。
【００７３】
上述したように、アイコン４０１〜４０７はリモートコントロールユニット１２上の左矢印キーまたは右矢印キーの操作に応じて左方向または右方向にスクロールされる。中央に位置するアイコンが自動的にフォーカスされる（選択される）。
【００７４】
図６では、アイコン４０４が選択された場合が想定されている。フォーカスされているアイコン４０４の下には、現在選択されているコンテンツ検索・再生機能の名前、ここでは、「ほかにもこんな番組」が表示される。
【００７５】
「サーフィン」機能（「ほかにもこんな番組」機能）においては、メイン画面と複数のサブ画面（複数の関連画面）というスタイルで、現在視聴中または現在再生中の番組に関連している映像コンテンツのリストが表示される。すなわち、現在視聴中または現在再生中の放送番組４１１の映像はディスプレイ１４の画面上の第１エリア（メイン画面）に表示され、番組４１１に関連する複数の映像コンテンツを示す連続再生リスト４１２は、ディスプレイ１４の画面上の第２エリアに表示される。すなわち、第２エリアには複数のサブ画面が縦方向に並べられ、これら複数のサブ画面上に、上述の複数の関連する映像コンテンツにそれぞれ対応する静止画像および様々な案内情報などが表示される。
【００７６】
第２エリアのサイズは第１エリア（メイン画面）よりも小さく設定されており、この第２エリア上の複数のサブ画面上に、放送番組４１１に関連する複数の映像コンテンツの静止画などがそれぞれ表示される。
【００７７】
再生可能映像コンテンツとしては、録画済み放送コンテンツ（録画済み放送番組）を使用してもよい。この場合、この連続再生リスト４１２においては、現在視聴中または現在再生中の番組に関連している各録画済み放送番組のサムネイル静止画、タイトル名、チャンネル番号、放送日時等を表示してもよい。
【００７８】
「サーフィン」機能の起動時には、連続再生リスト４１２上の最上段のコンテンツ（番組）がフォーカスされる。リモートコントロールユニット１２上の上矢印キーまたは下矢印キーの操作に応じてフォーカスを連続再生リスト４１２上の他のコンテンツに移動することができる。リモートコントロールユニット１２上の「決定」キーが操作されると、現在フォーカス（選択）されているコンテンツが全画面モードで再生される。
【００７９】
なお、現在視聴中または現在再生中の放送番組４１１が他の放送番組に切り替えられた場合には、上述の他の放送番組に関連するコンテンツのリストが連続再生リスト４１２として新たに生成されて表示される。
【００８０】
また、視聴中または再生中の映像コンテンツのシーンの変化に応じて連続再生リスト４１２の内容が変更されるように、視聴中または再生中の映像コンテンツの現在のシーンに関連する映像コンテンツを録画済み放送番組データのような再生可能な映像コンテンツの中から見つけ出すようにしてもよい。この場合、例えば、ある特定の人物が登場するシーンの先頭位置を示す情報（メタデータ、タグリスト等）をサーバ３２から取得してもよい。視聴中または再生中の映像コンテンツの現在視聴位置／現在再生位置がある特定の人物が登場するシーンになると、現在の連続再生リストの内容が更新され、このシーンに関連する映像コンテンツの一覧を示す新たに連続再生リストが生成及び表示される。
【００８１】
図７は、「サーフィン」機能以外の他の各機能が選択された時に表示される連続再生リスト４１２の例を示す。図７では、「ゴルフ」アイコン４０２が選択された場合が想定されている。連続再生リスト４１２には、ジャンルがゴルフである再生可能映像コンテンツのリストが上述のお勧め順に表示される。例えば、連続再生リスト４１２には、ジャンルがゴルフである各録画済み放送番組のサムネイル静止画、タイトル名、チャンネル番号、放送日時等を表示してもよい。
【００８２】
図８は、「急上昇ワード」アイコン４０５が選択された時にポップアップ表示されるキーワードリスト４１３を示す。キーワードリスト４１３は、「急上昇ワード」として決定されたキーワード（人物名を含む）の一覧を示す。ユーザは、キーワードリスト４１３の中から任意のキーワード（または人物名）を選択することができる。あるキーワード（または人物名）が選択されると、その選択されたキーワード（または人物名）に対応する映像コンテンツ（録画済み放送番組等）が検索され、検索された映像コンテンツ（録画済み放送番組等）の一覧を示す連続再生リストが生成および表示される。
【００８３】
図９は、ユーザに「ユーザ指定検索」機能の検索条件を設定または変更させるための画面を示す。ここでは、「ゴルフ」アイコン４０２に割り当てるべき検索条件を変更する場合を想定する。検索条件を設定または変更させるための画面には、ジャンル（サブジャンル）設定フィールド４２１、キーワード設定フィールド４２２、除外キーワード設定フィールド４２３、番組記号設定フィールド４２４、チャンネル設定フィールド４２５等が表示される。ユーザは、ジャンル（サブジャンル）、キーワード、除外キーワード、番組記号、チャンネル等を指定することによって、任意の検索条件を設定することができる。設定完了ボタン４２６がユーザ操作によって選択されると、ジャンル（サブジャンル）設定フィールド４２１、キーワード設定フィールド４２２、除外キーワード設定フィールド４２３、番組記号設定フィールド４２４、チャンネル設定フィールド４２５それぞれの設定内容に基づく検索条件が登録される。
【００８４】
図１０は、上述の「マイ番組表」の例を示している。  
図１０の「マイ番組表」は、ユーザによって設定された５つの検索条件にそれぞれ対応する５つ連続再生リストを並べて配置することによって構成されている。図１０の「マイ番組表」において、チャンネル名として、ゴルフＣＨ、“ＡＡＡＡＡ”ＣＨ、“ＢＢＢＢＢ”ＣＨ、アニメーションＣＨ、おすすめＣＨ、がそれぞれ使用されている。
【００８５】
ゴルフＣＨは、ジャンル「ゴルフ」を指定する検索条件に対応する仮想チャンネルである。このゴルフＣＨの仮想チャンネルの下には、ジャンル「ゴルフ」の検索条件にマッチする映像コンテンツ（録画済み放送番組等）の一覧が表示される。“ＡＡＡＡＡ”ＣＨは、あるアーティスト名（“ＡＡＡＡＡ”）を指定する検索条件に対応する仮想チャンネルである。この“ＡＡＡＡＡ”ＣＨの仮想チャンネルの下には、指定されたアーティスト名（“ＡＡＡＡＡ”）の人物が登場する映像コンテンツ（録画済み放送番組等）の一覧が表示される。 “ＢＢＢＢＢ”ＣＨは、別のあるアーティスト名（“ＢＢＢＢＢ”）を指定する検索条件に対応する仮想チャンネルである。この“ＢＢＢＢＢ”ＣＨの仮想チャンネルの下には、指定されたアーティスト名（“ＢＢＢＢＢ”）の人物が登場する映像コンテンツ（録画済み放送番組等）の一覧が表示される。
【００８６】
アニメーションＣＨは、ジャンル「アニメーション」を指定する検索条件に対応する仮想チャンネルである。このアニメーションＣＨの仮想チャンネルの下には、ジャンル「アニメーション」の検索条件にマッチする映像コンテンツ（録画済み放送番組等）の一覧が表示される。おすすめＣＨは、例えば、上述の「あなたにお勧め番組」機能に対応する仮想チャンネルである。
【００８７】
「マイ番組表」内のあるコンテンツ（番組）がフォーカスされると、そのフォーカスされた番組の詳細情報（サムネイル静止画、チャンネル番号、放送日時、タイトル、サブタイトル、等）が画面上に表示される。リモートコントロールユニット１２上の「決定」キーが操作されると、現在フォーカス（選択）されている番組が全画面モードで再生される。
【００８８】
なお、現在フォーカス（選択）されている番組の再生が完了した時に、同じ仮想チャンネル内の次の番組の再生を自動的に開始するようにしてもよい。例えば、図１０の“ＢＢＢＢＢ”ＣＨに対応するコンテンツリスト内の上から２番目のコンテンツが選択されたならば、“ＢＢＢＢＢ”ＣＨに対応するコンテンツリスト内のコンテンツそれぞれを、２番目のコンテンツから連続して再生してもよい。
【００８９】
次に、図１１のフローチャートを参照して、デジタルテレビジョン放送受信装置１１によって実行されるコンテンツ再生制御処理の手順を説明する。
【００９０】
上述のコンテンツ検索・再生機能が割り当てられたリモートコントロールユニット１２上の特定のボタンがユーザによって操作された時、再生制御部２０３は、上述の複数のアイコン４０１〜４０７をタグリストとして画面上に表示する（ステップＳ１１）。アイコン４０１〜４０７には異なる検索条件が関連づけられている。そして、再生制御部２０３は、アイコン４０１〜４０７から選択されたアイコン（選択されたタグ）に関連づけられた検索条件を使用して、例えば、上述のストレージデバイス１００内の特定記憶領域を検索し、これによって上述の検索条件にマッチする映像コンテンツを見つけ出す（ステップＳ１２）。ストレージデバイス１００内の特定記憶領域には、「タイムシフトマシン録画処理」によって録画された多数の放送番組が格納されている。したがって、これら多数の録画済み放送番組に含まれ且つ上述の検索条件にマッチする放送番組群が上述の検索条件にマッチする映像コンテンツとして見つけ出される。
【００９１】
再生制御部２０３は、見つけ出された映像コンテンツを所定の順序に並べることによってコンテンツリスト（連続再生リスト）を生成し、この生成した連続再生リストを画面上に表示する（ステップＳ１３）。そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ１４）。
【００９２】
次に、図１２のフローチャートを参照して、「サーフィン」アイコンが選択された時にデジタルテレビジョン放送受信装置１１によって実行される処理の手順を説明する。
【００９３】
ここでは、現在放送中のある放送番組（ライブ放送番組）の視聴中に「サーフィン」アイコンが選択された場合を想定する。再生制御部２０３は、視聴中の放送番組の映像をディスプレイ１４の画面上の第１エリア（メイン画面）に表示する（ステップＳ２１）。そして、再生制御部２０３は、「サーフィン」アイコンに関連づけられた検索条件を使用して、例えば、上述のストレージデバイス１００内の特定記憶領域を検索し、これによって視聴中の放送番組に関連する映像コンテンツを見つけ出す（ステップＳ２２）。上述したように、ストレージデバイス１００内の特定記憶領域には「タイムシフトマシン録画処理」によって録画された多数の放送番組が格納されている。したがって、これら多数の録画済み放送番組に含まれ且つ視聴中の放送番組に関連する放送番組群が見つけ出される。ステップＳ２２では、再生制御部２０３は、見つけ出された放送番組群を類似度が高い順に並べることによってコンテンツリスト（連続再生リスト）を生成し、この連続再生リストをディスプレイ１４の画面上の第２エリアに表示する。これにより、第２エリア上の複数のサブ画面上には、視聴中の放送番組に関連する複数の録画済み番組それぞれに対応するサムネイル静止画、チャンネル番号、番組タイトル等が表示される。
【００９４】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ２３）。
【００９５】
なお、視聴中／再生中の放送番組のシーンの変化に応じて、連続再生リスト内の内容を自動的に更新しても良い。この場合、再生制御部２０３は、視聴中または再生中の映像コンテンツのシーンの変化に応じて連続再生リストの内容が変更されるように、視聴中または再生中の映像コンテンツの現在のシーンに関連する録画済み映像コンテンツ等を見つけ出す。
【００９６】
ここでは、「サーフィン」機能に対応する画面上の連続再生によって示される映像コンテンツそれぞれを連続再生する場合を説明したが、「サーフィン」機能に対応する画面上の連続再生リストによって示される映像コンテンツそれぞれを連続再生するか否かをユーザが選択できるようにしてもよい。この場合、再生制御部２０３または再生処理部２１２は、「サーフィン」機能に関する設定メニューをディスプレイ１４の画面上に表示しても良い。この設定メニューは、「サーフィン」機能の画面上の連続再生リスト４１２によって示される再生可能映像コンテンツの連続再生の有効または無効をユーザに予め選択させるための設定項目を含む。連続再生の有効がユーザによって既に選択されている場合には、再生制御部２０３は、連続再生リスト内の映像コンテンツそれぞれを、選択された映像コンテンツから連続して再生する。一方、連続再生の無効がユーザによって既に選択されている場合には、再生制御部２０３は、映像コンテンツの連続再生を実行しない。この場合、再生制御部２０３は、連続再生リスト内の映像コンテンツからユーザによって選択された映像コンテンツのみを再生する。
【００９７】
次に、図１３のフローチャートを参照して、「ユーザ指定検索」機能に対応するアイコンが選択された時にデジタルテレビジョン放送受信装置１１によって実行される処理の手順を説明する。
【００９８】
再生制御部２０３は、選択されたアイコンに関連づけられた検索条件を使用して、例えば、上述のストレージデバイス１００内の特定記憶領域を検索し、これによって上述の検索条件（ジャンル、キーワード、出演者、または番組記号）にマッチする映像コンテンツを見つけ出す（ステップＳ３１）。上述したように、ストレージデバイス１００内の特定記憶領域には「タイムシフトマシン録画処理」によって録画された多数の放送番組が格納されている。したがって、これら多数の録画済み放送番組に含まれ且つ上述の検索条件にマッチする放送番組群が見つけ出される。再生制御部２０３は、見つけ出された放送番組群を示す連続再生リストを生成し、この連続再生リストをディスプレイ１４の画面上に表示する（ステップＳ３２）。
【００９９】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ３３）。
【０１００】
次に、図１４のフローチャートを参照して、「あなたにお勧め番組」機能に対応するアイコンが選択された時にデジタルテレビジョン放送受信装置１１によって実行される処理の手順を説明する。
【０１０１】
再生制御部２０３は、映像コンテンツの視聴、再生、録画、ダビングに関するユーザ操作の履歴に基づいてユーザの嗜好を学習する処理をバックグラウンドで実行する（ステップＳ４１）。この学習処理により、ユーザがどのような属性（ジャンル、キーワード、出演者等）の番組に興味を持っているかを示す情報を生成することができる。
【０１０２】
「あなたにお勧め番組」機能に対応するアイコンが選択された時、再生制御部２０３は、上述の学習によって得られたユーザの嗜好に基づく検索条件を使用して、例えば、上述のストレージデバイス１００内の特定記憶領域を検索し、これによって上述のユーザの嗜好に基づく検索条件（ジャンル、キーワード、出演者等）にマッチする映像コンテンツを見つけ出す（ステップＳ４２）。上述したように、ストレージデバイス１００内の特定記憶領域には「タイムシフトマシン録画処理」によって録画された多数の放送番組が格納されている。したがって、これら多数の録画済み放送番組に含まれ且つユーザの嗜好にマッチする放送番組群が見つけ出される。再生制御部２０３は、見つけ出された放送番組群を示す連続再生リストを生成し、この連続再生リストをディスプレイ１４の画面上に表示する（ステップＳ４３）。
【０１０３】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ４４）。
【０１０４】
次に、図１５のフローチャートを参照して、「いつもの番組」機能に対応するアイコンが選択された時にデジタルテレビジョン放送受信装置１１によって実行される処理の手順を説明する。
【０１０５】
再生制御部２０３は、ユーザによって再生された映像コンテンツの属性およびその再生タイミング（曜日、時間帯）に基づいて何時どのような番組を再生しているかを示すユーザの習慣性を学習する処理をバックグラウンドで実行する（ステップＳ５１）。この学習処理により、ユーザがいつどのような属性（ジャンル、キーワード、出演者等）の番組を再生したかを示す情報を生成することができる。なお、ここでは、ユーザによる再生操作の履歴を使用してユーザの習慣性を学習する場合を説明したが、再生操作の履歴の代わりに、あるいは再生操作の履歴に加えて、ユーザによる視聴操作の履歴を学習してもよい。
【０１０６】
「いつもの番組」機能に対応するアイコンが選択された時、再生制御部２０３は、上述の学習によって得られたユーザの習慣性に対応する検索条件を使用して、現在日時に対応する時間帯および曜日にユーザによって視聴または再生の操作がされた番組の属性（ジャンル、キーワード、出演者等）をユーザの習慣性に対応する検索条件として決定する。そして、再生制御部２０３は、例えば、上述のストレージデバイス１００内の特定記憶領域を検索し、上述のユーザの習慣性に対応する検索条件（ジャンル、キーワード、出演者等）にマッチする映像コンテンツを見つけ出す（ステップＳ５２）。上述したように、ストレージデバイス１００内の特定記憶領域には「タイムシフトマシン録画処理」によって録画された多数の放送番組が格納されている。したがって、これら多数の録画済み放送番組に含まれ且つユーザの嗜好にマッチする放送番組群が見つけ出される。再生制御部２０３は、見つけ出された放送番組群を示す連続再生リストを生成し、この連続再生リストをディスプレイ１４の画面上に表示する（ステップＳ５３）。
【０１０７】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ５４）。
【０１０８】
次に、図１６のフローチャートを参照して、「急上昇ワード」機能に対応するアイコンが選択された時にデジタルテレビジョン放送受信装置１１によって実行される処理の手順を説明する。
【０１０９】
再生制御部２０３は、録画された多数の放送番組の各々からキーワードを抽出し、出現頻度が急激に増加したキーワードを「急上昇ワード」（ホットワード）として特定する処理をバックグラウンドで実行する（ステップＳ６１）。キーワードを抽出する処理は、放送番組のメタデータまたはＥＰＧ情報を用いて実行しても良い。また、ホットワードを特定する処理は、サーバ３２によって実行してもよい。
【０１１０】
「急上昇ワード」機能に対応するアイコンが選択された時、再生制御部２０３は、ホットワードとして特定されたキーワードのリストをディスプレイ１４の画面上に表示する（ステップＳ６２）。このキーワードのリスト内のあるキーワード（あるホットワード）がユーザによって選択されると、再生制御部２０３は、例えば、上述のストレージデバイス１００内の特定記憶領域を検索し、選択されたキーワード（ホットワード）を含む映像コンテンツを見つけ出す（ステップＳ６３）。ストレージデバイス１００内の特定記憶領域には「タイムシフトマシン録画処理」によって録画された多数の放送番組が格納されているので、これら多数の録画済み放送番組に含まれ且つ選択されたキーワード（ホットワード）にマッチする放送番組群が見つけ出される。再生制御部２０３は、見つけ出された放送番組群を示す連続再生リストを生成し、この連続再生リストをディスプレイ１４の画面上に表示する（ステップＳ６４）。
【０１１１】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ６５）。
【０１１２】
次に、図１７のフローチャートを参照して、「みんなのお勧め」機能に対応するアイコンが選択された時にデジタルテレビジョン放送受信装置１１によって実行される処理の手順を説明する。
【０１１３】
再生制御部２０３は、ユーザによって「通常録画処理」の録画が予約された番組を示す録画予約情報をサーバ３２に送信する（アップロード）。サーバ３２は各電子機器からアップロードされる録画予約情報に基づいて上述のランキング情報を生成する（ステップＳ７１）。
【０１１４】
「みんなのお勧め番組」機能に対応するアイコンが選択された時、再生制御部２０３は、サーバ３２からランキング情報を取得する（ステップＳ７２）。なお、ランキング情報の取得は、「みんなのお勧め番組」機能に対応するアイコンが選択されるよりも前に事前に実行しても良い。
【０１１５】
再生制御部２０３は、例えば、上述のストレージデバイス１００内の特定記憶領域を検索し、上述のランキング情報に基づく検索条件にマッチする映像コンテンツを見つけ出す（ステップＳ７３）。上述したように、ストレージデバイス１００内の特定記憶領域には「タイムシフトマシン録画処理」によって録画された多数の放送番組が格納されている。したがって、これら多数の録画済み放送番組に含まれ且つ多くのユーザによって録画予約されている人気の高い放送番組群が見つけ出される。再生制御部２０３は、見つけ出された放送番組群を示す連続再生リストを生成し、この連続再生リストをディスプレイ１４の画面上に表示する（ステップＳ７４）。
【０１１６】
そして、連続再生リスト内のある映像コンテンツがユーザ操作によって選択された場合、再生制御部２０３は、連続再生リスト内の映像コンテンツそれぞれを、選択された映像コンテンツから連続して再生する（ステップＳ７５）。
【０１１７】
次に、図１８のフローチャートを参照して、「マイ番組表」表示処理の手順を説明する。ここでは、ユーザによって選択された第１および第２の２つの検索条件を仮想チャンネルとして含む「マイ番組表」を生成する場合を想定する。
【０１１８】
再生制御部２０３は、上述のストレージデバイス１００内の特定記憶領域を検索し、ユーザによって選択された第１の検索条件にマッチする映像コンテンツを見つけ出すと共に、ユーザによって選択された第２の検索条件にマッチする映像コンテンツを見つけ出す（ステップＳ８１）。再生制御部２０３は、第１の検索条件にマッチする映像コンテンツを示す連続再生リストと第２の検索条件にマッチする映像コンテンツを示す連続再生リストとを並べて配置することによって、第１の検索条件（第１の検索条件に対応するタグ）および前記第２の検索条件（第２の検索条件に対応するタグ）を異なるチャンネル（仮想チャンネル）に見立てた「マイ番組表」を生成し、この「マイ番組表」をディスプレイ１４の画面上に表示する（ステップＳ８２）。
【０１１９】
そして、「マイ番組表」内のある映像コンテンツがユーザ操作によって選択された場合、再生制御部２０３は、例えば、選択された映像コンテンツと同一の仮想チャンネルに属する映像コンテンツそれぞれを、選択された映像コンテンツから連続して再生する（ステップＳ８３）。
【０１２０】
本実施形態のコンテンツ検索・再生機能は、「タイムシフトマシン録画処理」によって録画された多数の番組を有効に活用することを可能にする。すなわち、「タイムシフトマシン録画処理」は、個々の番組毎の録画予約操作が不要である、ユーザによる録画予約のし忘れを防止できる等のメリットを有する。反面、「タイムシフトマシン録画処理」を使用すると、ユーザにとって興味のない番組まで録画されてしまう場合もある。
【０１２１】
本実施形態のコンテンツ検索・再生機能は、視聴中または再生中の映像コンテンツに関連づけられた検索条件、視聴中または再生中の映像コンテンツに関連づけられていない検索条件といった様々な検索条件で録画済コンテンツをフィルタリングすることで、視聴中／再生中のコンテンツに関連するコンテンツ、視聴中／再生中のコンテンツとは無関係のコンテンツ（例えば、ユーザの嗜好に合致するコンテンツ、世の流行に合致するコンテンツ等）を、簡単に探し再生することができる。また単純なコンテンツ再生ではなく、検索条件に合致したコンテンツの連続再生リストを作成および表示することで、一度再生が開始されるとユーザ操作なしでユーザの興味のある番組が連続再生される。よって、ユーザの利便性の向上を図ることができる。
【０１２２】
以上説明したように、本実施形態によれば、第１および第２の項目（アイコン）が表示され、第１の項目の選択に応答して、第１の項目に関連づけられた第１の検索条件にマッチする映像コンテンツを示す第１のリストが表示され、第２の項目の選択に応答して、第２の項目に関連づけられた第２の検索条件にマッチする映像コンテンツを示す第２のリストが表示される。そして、第１または第２のいずれかのリスト内の一つの映像コンテンツが選択された場合には、選択された一つの映像コンテンツおよびこの選択された一つの映像コンテンツに後続する第１または第２のいずれかのリスト内の他の映像コンテンツが連続して再生される。よって、再生可能な映像コンテンツの中から所望の映像コンテンツを容易に見つけて再生することができる。
【０１２３】
なお、本実施形態のコンテンツ検索・再生機能はコンピュータプログラムによって実現することができるので、このコンピュータプログラムを格納したコンピュータ読み取り可能な記憶媒体を通じてこのコンピュータプログラムを、コンテンツを録画および再生する機能等を有するコンピュータにインストールして実行するだけで、本実施形態と同様の効果を容易に実現することができる。
【０１２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２５】
１１…デジタルテレビジョン放送受信装置、４９、５４…チューナ、２０３…再生制御部、２１１…コンテンツリスト表示処理部、２１２…再生処理部。
【図１】
2014049984.tif 000003
【図２】
2014049984.tif 000004
【図３】
2014049984.tif 000005
【図４】
2014049984.tif 000006
【図５】
2014049984.tif 000007
【図６】
2014049984.tif 000008
【図７】
2014049984.tif 000009
【図８】
2014049984.tif 000010
【図９】
2014049984.tif 000011
【図１０】
2014049984.tif 000012
【図１１】
2014049984.tif 000013
【図１２】
2014049984.tif 000014
【図１３】
2014049984.tif 000015
【図１４】
2014049984.tif 000016
【図１５】
2014049984.tif 000017
【図１６】
2014049984.tif 000018
【図１７】
2014049984.tif 000019
【図１８】
2014049984.tif 000020